(57)【要約】  【課題】  ユーザーが簡単に赤外線センサの検知範囲を変更できる。  【解決手段】  この赤外線センサ装置３は、人体から発する赤外線を検知可能な焦電型の赤外線センサ５と、赤外線センサ５の前面に開閉可能に装備され、窓孔６が形成されたアクリル樹脂など赤外線不透過材よりなるマスキング部材７とを備える。マスキング部材７が開状態では赤外線センサ５の前面が実質的に覆われず、閉状態では赤外線センサ５の検知範囲が前記窓孔６内に制限される。マスキング部材７はケース８の両側面の小孔９にそれぞれ回転可能に軸支持される小突起１０を両側端内面にもつ略球弧状とする。ケース８の外側に赤外線センサ５が外部に臨む部分以外を実質的に覆う第二ケース１１、１２を設け、ケース８と第二ケース１１、１２の隙間にマスキング部材７を実質的に収納可能とする。【選択図】  図２
2005037296.tif 000002
【特許請求の範囲】
【請求項１】
人体から発する赤外線を検知可能な赤外線センサと、赤外線センサの前面に開閉可能に装備され、窓孔が形成された赤外線不透過材よりなるマスキング部材とを備え、マスキング部材が開状態では赤外線センサの前面が実質的に覆われず、閉状態では赤外線センサの検知範囲が前記窓孔内に制限される赤外線センサ装置。
【請求項２】
請求項１において、赤外線センサを外部に臨ませた略球形状のケースを備え、マスキング部材は前記ケースの両側面の小孔にそれぞれ回転可能に軸支持される小突起を両側端内面にもつ略球弧状とした赤外線センサ装置。
【請求項３】
請求項２において、ケースの外側に赤外線センサが外部に臨む部分以外を実質的に覆う第二ケースを設け、ケースと第二ケースの隙間に、開状態としたマスキング部材を実質的に収納可能とした赤外線センサ装置。
【請求項４】
請求項１〜３のいずれかにおいて、マスキング部材の一端につまみが突出された赤外線センサ装置。
【請求項５】
請求項１〜４のいずれかの赤外線センサ装置を装備した照明器具。
【発明の詳細な説明】
【技術分野】
【０００１】
本発明は、人体から発する赤外線を検知可能な赤外線センサ装置および照明器具に関する。
【背景技術】
【０００２】
人体が近づくと点灯する照明器具は特許文献１に開示され、人体から発する赤外線を検知可能な赤外線センサ装置を備えている。そして、その赤外線センサ装置の検知範囲を狭く変更したい場合には、赤外線が透過しない材質のシールを赤外線センサの一部を覆うように貼り付け、検知範囲を広く変更したい場合には、そのシールを剥がすようにしている。
【特許文献１】特開２００２−９８７７２号公報
【発明の開示】
【発明が解決しようとする課題】
【０００３】
しかし、そのようなシールを照明器具とともに同梱して出荷して必要時にユーザーに貼り付けてもらうようにしたり、あるいは、照明器具の出荷時から赤外線センサの前面にシールをあらかじめ貼り付けておいて必要時にユーザーに剥がしてもらうようにしても、シールは小さいものであるためにユーザーが紛失しやすいし、取り扱いも面倒であるという解決すべき課題があることに着目されるべきである。本発明はこのような解決すべき課題を鑑み、ユーザーが簡単に赤外線センサの検知範囲を変更できることを目的とする。
【課題を解決するための手段】
【０００４】
本発明を要約すると、人体から発する赤外線を検知可能な赤外線センサと、赤外線センサの前面に開閉可能に装備され、窓孔が形成された赤外線不透過材よりなるマスキング部材とを備え、マスキング部材が開状態では赤外線センサの前面が実質的に覆われず、閉状態では赤外線センサの検知範囲が前記窓孔内に制限される赤外線センサ装置である。
【発明の効果】
【０００５】
本発明によれば、窓孔が形成された赤外線不透過材よりなるマスキング部材が赤外線センサの前面に開閉可能に装備されているため、簡単に赤外線センサの検知範囲を変更できる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、赤外線センサ装置を装備した照明器具の一例を示し、天井の下面に本体１が取り付けられ、本体１の下面にはランプ２と赤外線センサ装置３が設けられている。また、本体１の下面にはランプ２と赤外線センサ装置３を覆って、人体から発する赤外線を透過可能なポリエチレン樹脂製のグローブ４が着脱可能に取り付けられている。
【０００８】
赤外線センサ装置３は、人体から発する赤外線を検知可能な焦電型の赤外線センサ５と、赤外線センサ５の前面に開閉可能に装備され、窓孔６が形成されたアクリル樹脂など赤外線不透過材よりなるマスキング部材７とを備えている。マスキング部材７が図３、４のように開状態では赤外線センサ５の前面が実質的に覆われず、図１、２のように閉状態では赤外線センサ５の検知範囲が前記窓孔６内に制限される。
【０００９】
さらに述べると、赤外線センサ５を外部に臨ませた上下合わせ型の略球形状のケース８を備え、マスキング部材７は前記ケース８の両側面の小孔９(図６参照)にそれぞれ回転可能に軸支持される小突起１０を両側端内面にもつ略球弧状としている。また、ケース８の外側に赤外線センサ５が外部に臨む部分以外を実質的に覆う上下合わせ型の第二ケース１１、１２を設け、ケース８と第二ケース１１、１２の隙間に、図４のように開状態としたマスキング部材７を実質的に収納可能としている。
【００１０】
その他の構成を説明すれば、略半球状の第二ケース１１の両側には支持脚１３、１３を設けてこれらの上端を本体１の下面に取り付けている。第二ケース１１の内部にケース８を収めてから比較的薄型で大きな開口１２ａのある第二ケース１２の係止爪１４を支持脚１３の基部の孔１５に挿入係止して、第二ケース１１と第二ケース１２とが合体的に構成される。そうすると、第二ケース１１の上面付近の弾性アーム１６がケース８の上面を軽く押圧し、ケース８が第二ケース１１、１２内で回転可能であるが、その位置を維持するように装着される。また、赤外線センサ５の前面にはレンズ１７が装着される。また、マスキング部材７の一端につまみ１８が突出され、さらには、マスキング部材７を着色すれば、その開閉の区別が分かりやすくなる。
【００１１】
以上の構成によれば、図１、２の状態では赤外線センサ５の検知範囲はマスキング部材７の窓孔６で制限されて狭くなり、図１の床面ハッチング部分に人が入ると赤外線センサ５で検知されてランプ２が点灯する。また、図３、４の状態では、赤外線センサ５の検知範囲はマスキング部材７による赤外線遮断がなくなるために広くなり、図３の広い床面ハッチング部分に人が入ると赤外線センサ５で検知されてランプ２が点灯するようになる。マスキング部材７を動かすにはつまみ１８を指先で操作すれば簡単に行え、また、つまみ１８があるため、つまみ１８が第二ケース１２の開口１２ａの縁部に当接可能になり、マスキング部材７が第二ケース１２、１１の内部に進入してしまって取り出せなくなることも防止できる。
【００１２】
以上示した実施形態によれば、窓孔６が形成された赤外線不透過材よりなるマスキング部材７が赤外線センサ５の前面に開閉可能に装備されているため、簡単に赤外線センサ５の検知範囲を変更でき、照明器具の用途による検知範囲の変更に容易に対応できる。
【図面の簡単な説明】
【００１３】
【図１】検知範囲を狭くしたときの側面図
【図２】(A)同赤外線センサ装置の断面図、(B)同下面図
【図３】検知範囲を広くしたときの側面図
【図４】(A)同赤外線センサ装置の断面図、(B)同下面図
【図５】(A)同赤外線センサ装置の正面図、(B)同側面図、(C)同下面図
【図６】同赤外線センサ装置の分解正面図
【符号の説明】
【００１４】
１  本体
２  ランプ
３  赤外線センサ装置
４  グローブ
５  赤外線センサ
６  窓孔
７  マスキング部材
８  ケース
９  小孔
１０  小突起
１１、１２  第二ケース
１８  つまみ
【図１】
2005037296.tif 000003
【図２】
2005037296.tif 000004
【図３】
2005037296.tif 000005
【図４】
2005037296.tif 000006
【図５】
2005037296.tif 000007
【図６】
2005037296.tif 000008